(57)【要約】ディスプレイ装置は、行電極(6)と、列電極(5)と、可動素子(3)と、電極へ電圧を供給する手段(17)とを含む。それによって、制御可能な画像素子が電極の交差領域に形成される。電極によって受け取られる駆動パルスに基づいて、可動素子は正面板又は背面板のいずれかに設定されうる。導光板の一側面において、光源からの光が導光板に結合される。可動素子が導光板と接触している場合、光はその場所で導光板から出射される。ディスプレイ装置は複線アドレス方式によってアドレスすることができる。異なる群の各線をディスプレイ装置に亘って均等に分散配置することによって、表示の均質性が向上する。このような行の分散配置が色彩連続ダイナミックフォイルディスプレイ装置に適用されると、色彩フラッシュ効果が低減される。
2005535931.tif 000002
【特許請求の範囲】
【請求項１】
光を生成するための光源と、
生成された前記光を輸送するための導光板と、
複数の制御可能な可動素子と、
受信した画像情報に基づいて前記可動素子を制御するために複数の行及び複数の列に各々配置された複数の選択電極及び複数のデータ電極を有し、前記選択電極は第一及び第二の群の行で相互に連結されている選択手段と、
前記第一の群の行及び前記第二の群の行に各々対応する前記画像情報を前記選択手段に提供するよう配置されているドライバ手段とを有し、
前記可動素子は、画像を形成するために前記光を前記導光板から分離するよう、活性化状態において、前記可動素子を前記導光板に局部的に接触させるために前記導光板に関連付けられている、画像情報を表示するためのダイナミックフォイルディスプレイ装置であって、
前記第一の群の前記選択電極及び前記第二の群の前記選択電極は、前記導光板における光束の主方向に対して平行で横方向に均等に分散配置されていることを特徴とするディスプレイ装置。
【請求項２】
前記第一の群の１つの選択電極が前記第二の群の隣接する複数の選択電極の間に位置付けられていることを特徴とする請求項１に記載のディスプレイ装置。
【請求項３】
前記ディスプレイ装置は、受信したディスプレイ情報の領域周期を、ディスプレイ周期に対し先行するアドレス周期を有する連続サブ領域に分割するタイミング手段を有し、該タイミング手段は、前記領域周期内において、対応する前記ディスプレイ周期の１つに各々関連付けられた所定のオーダの重み付け係数を生成し、さらに、前記ディスプレイ装置は、信号の受信後、前記ディスプレイ周期中に前記光源を活性化する光源ドライバと、前記重み付け係数に対応した駆動信号を供給するための駆動回路と、を有することを特徴とする請求項１に記載のディスプレイ装置。
【請求項４】
前記受信された表示情報は、二進符号化された重量を有するデータ語を有し、前記タイミング手段は、各重み付け係数がビットの重量の１つに対応するよう、領域周期内において、前記ディスプレイ周期の前記重み付け係数を生成するよう構成されていることを特徴とする請求項３に記載のディスプレイ装置。
【請求項５】
前記光源は、第一の色彩の第一の光源と、第二の色彩の第二の光源とを含み、前記タイミング手段は、前記受信したディスプレイ情報の領域周期を、前記第一の色彩に関連付けられた連続的な第一の複数のサブ領域周期と、前記第二の色彩に関連付けられた連続的な複数の第二のサブ領域周期とに分割するよう配置され、さらに、前記駆動回路は、前記重み付け係数に対応した駆動信号を、前記サブ領域周期に関連付けられた色彩を備えた光源に供給するよう配置されていることを特徴とする請求項５に記載のディスプレイ装置。
【請求項６】
前記ディスプレイ装置は、前記可動素子とは反対側の導光板の側部に設けられた反射素子をさらに有することを特徴とする請求項１に記載のディスプレイ装置。
【請求項７】
前記光源は発光ダイオードを有することを特徴とする請求項１に記載のディスプレイ装置。
【請求項８】
前記光源はレーザを有することを特徴とする請求項１に記載のディスプレイ装置。
【請求項９】
行及び列のマトリックスに配列された複数の画像素子と、行又は列における前記画像素子に関連付けられた複数の選択電極及びデータ電極と、光を生成するための光源とを有し、
前記画像素子は、活性化モードのときに、前記受信したディスプレイ情報に従って前記光を前記光源から伝えるよう配置されたフラットパネルディスプレイ装置をサブ領域モードにおいて駆動する方法であって、
前記選択電極を第一の群及び第二の群に順次連続的にアドレス付けするステップを有し、アドレス付けされた前記選択電極を前記光源の光の流れの主方向と平行な方向で均等に分散配置するステップをさらに有することを特徴とする方法。
【発明の詳細な説明】
【技術分野】
【０００１】
本発明はダイナミックフォイルディスプレイ装置(dynamic  foil  display  device)及びその操作方法に関する。
【背景技術】
【０００２】
このようなダイナミックフォイルディスプレイ装置は国際公開第WO00/38163号により既知である。
【０００３】
既知のダイナミックフォイルディスプレイ装置は、光源と、導光板と、導光板からある程度の距離だけ離間して位置付けられた第二板と、前記２つの板の間に位置付けられた薄膜の形態の可動素子とを有する。導光板上のアドレス可能な電極と、第二板と、薄膜上の電極とに電圧を印加することによって、薄膜は第一の板（すなわち、導光板）と局部的に接触され又は接触が中断される。動作中、光源によって生成された光は導光板に結合される。薄膜が導光板と接触している場所では、光は導光板から分離される。これによって画像を現すことが可能とされる。アドレス可能な電極の交差領域での薄膜の位置を選択することを可能とする方法は複線アドレス法(multiple  line  addressing  method)である。パルス幅変調と組み合わせることで、複線アドレス方法による濃淡階調表示(gray  scale)が得られる。この場合、画像は６０Ｈｚのフレーム率で表示される。第一の電圧が第一の線に印加される。ｔ＝０において、第一の電圧Ｖ０が行電極に印加される。これによって、その行電極に対応する線が活性化される。同時に、画素がオンにされるべき交差領域のための電圧Ｖｏｎが行電圧と交差する複数の列電極に印加される。電圧Ｖｈｏｌｄを何れかの電極で適用することで画素の状態が保持される。ｔ＝ｔ１において、電極には電圧Ｖｏｆｆが印加される。これによって線は無地とされる。無地時間はｔｓである。短い待ち時間ｔｄの後、線は再度活性化される。次に、ビデオ情報が関連性する行電極と交差する各電極のために変化される。よって、画素は一回目１τオン、二回目２τオフ、三回目４τオン等であることができる。８ビットの濃淡階調表示の場合、完全な周期は長さ2，４，８，１６，３２，６４，１２８τの８つのサブ周期を含む。さらに、２つのサブ周期はτｓ＋τｄ＋τｓをとるオフ−オン順序によって分離される。これらのステップはディスプレイ装置の他の行電極のために繰り返される。ダイナミックフォイルディスプレイ装置の複線アドレス及び濃淡レベルはこのようにしてなされる。
【０００４】
それに加えて、ダイナミックフォイルディスプレイ装置の複数の線は幾つかの群の空間的に連続してアドレスされた複数の線によって相互接続されており、個々の群は連続的にアドレスされる。既知のダイナミックフォイルディスプレイ装置の欠点は、均一な濃淡階調表示が表示されなければならない場合に、ディスプレイの複数の線の１つに沿う後続の画素の輝度がディスプレイ装置の幅方向に沿って変化することである。
【発明の開示】
【発明が解決しようとする課題】
【０００５】
本発明の目的は、改良された均一性を有するダイナミックフォイルディスプレイ装置を提供することである。
【課題を解決するための手段】
【０００６】
この目的を達成するために、本発明の第一の特徴は、請求項１において特定されるようなダイナミックフォイルディスプレイ装置を提供することである。本発明は濃淡レベルダイナミックフォイルディスプレイ装置における光の損失には次の２つの原因があるという認識に基づいている。第一の原因は画像素子に関連付けられた光の生成に必要な光の分離であり、第二の原因はスペーサ、ガラス及び導電コーティングでの光の吸収である。第一の原因は表示されるべき画像の内容により依存している。所定の濃淡値をディスプレイ上に表示するために空間的に近接してアドレスされる選択電極に複線アドレス法を適用することによって、第二の、横の方向と直交する第一の方向に沿った輝度の変化が発生する。この横方向は導光板内の光源からの光の流れの主方向と一致する。さらに、横方向において、表示された濃淡値における段階的な変化が新しくアドレスされる群の第一の選択電極が始まる位置で起こり得る。これらの段階的な変化は新しい群の第一のアドレス付けされる選択電極の位置に起因する。何故ならば、それはこの群の第一の選択電極は先行する群の選択電極よりも後の瞬間にアドレスされるからである。よって、光の分離を通じた光の喪失は導光板において未だ発生していない。単一的にアドレス付けされる群の連続的にアドレスされる複数の線がディスプレイの高さ方向に亘って均一に分散配置されている場合、導光板の表面に対し第一の明確な角度を有する減衰光線の効果は導光板の表面に対し第二の明確な角度を有する非減衰光線によって平均化される。第二の明確な角度は第一の明確な角度とは若干相違する。よって、ダイナミックフォイルディスプレイの均質性が向上する。この実施例において、均等に分散配置されたとは平衡状態あるいは非偏向状態に分散配置されることを意味する。本発明のより有効な実施態様は従属項において特定される。
【０００７】
請求項３によって特定されている実施態様において、ダイナミックフォイルディスプレイ装置はサブ領域変調ディスプレイとして働く。よって、ディスプレイ素子は画素のオン及びオフを切り替えることができるだけである。サブ領域において、ディスプレイ素子はディスプレイ周期に光を散乱するよう条件付けることができる。従って、アドレスの順序は必要である。それによって、アドレス周期において、第一及び第二の電極間に適宜の電圧が印加されたときに、可動素子が導光板に対して局部的に押し付けられる。後続のディスプレイ周期において、光源が選択されたディスプレイ素子で光を放射するとき、可動素子は導光板から視聴者に対して光を散乱する。次のサブ領域において、この工程は繰り返される。光源がどれぐらいの時間に亘って光を放射するかはサブ領域の重量によって決定される。ディスプレイ素子の輝度はディスプレイ画像の入力ビットの重量によって決定される。サブ領域の重量はディスプレイ画素の入力ビットの重量と一致する。ビットの重量がディスプレイ素子におけるサブ領域の重量と一致するとき、可動画素は後続のディスプレイ周期において光を散乱する。ディスプレイ装置においては全ての線が同時に活性化されているため、ディスプレイ画像における固定パターンノイズが低減される。
【０００８】
請求項５において特定される実施態様において、色彩画像が色度配列で表示される。この色度配列されたダイナミックフォイルディスプレイ装置においては、画像情報は２つの色彩の画像情報に各々関連付けられたサブ領域に分割され、各々の色彩のサブ領域の重量は各色彩のレベルに関連している。ドライバ手段は表示されたサブ領域の色彩に関連付けられた光源を駆動するために配置されている。この配置においては、ディスプレイ素子毎のカラーフィルタは最早必要とされず、よって、ディスプレイ装置の色彩効率が向上する。ディスプレイ全体に亘る相違する群の線の均一な分散配置のさらなる利点は所謂色彩フラッシュ効果が低減されることである。
【０００９】
色彩フラッシュ効果は同一の群における近接する幾つかの線がアドレス付けされるときに発生する。
【００１０】
請求項６において特定される実施態様において、ディスプレイ装置は光源の可動素子の反対側の導光板の側部に設けられた反射板を含む。色彩配列アドレス法を適用するディスプレイ装置に本反射板を適用することによって、ディスプレイ装置に視差を招来することなく光効率を向上させることができる。赤色、緑色及び青色のカラーフィルタを使用する従来のディスプレイ装置では、そのような反射板は受容し難い視差を生じることもある。
【００１１】
ダイナミックフォイルディスプレイ装置のさらなる実施態様は発光ダイオード又はレーザ源を備えることができる。重要なことは、最も少ない重み付け係数に関連付けられて、光源の発光周期よりも短い周期で光源のオン及びオフの切り替えが可能なことである。
【００１２】
本発明の上述及び他の特徴は本願明細書に記載の実施態様を参照すれば明らかである。
【発明を実施するための最良の形態】
【００１３】
図面は概略的であり一定縮尺で描写されていない。一般的に、同様の参照番号は同様の部材を参照している。
【００１４】
図１は、導光板２と、可動素子３と、第二板４とを含むディスプレイ装置を図式的に示す。この実施例において、可動素子は薄膜を含む。薄膜の非弾性変形を回避するために、薄膜３は少なくともディスプレイ装置の動作温度のガラス転移温度を有する透明なポリマから生成され得る。実際的に、ディスプレイ装置の動作温度は摂氏約０度〜７０度の範囲である。好適な透明ポリマは、例えば、摂氏９０度のガラス転移温度を有するパリレン(parylene)である。
【００１５】
電極システム５及び６が、薄膜３に面する導光板２の表面上及び薄膜に面する第二板の表面上に各々配置されている。共通電極７が薄膜３上に配置されているのが好ましい。共通電極７は例えばインジウムスズ酸化物(ITO)の層によって形成され得る。この実施例において、導光板は光誘導板２によって形成されている。導光板２はガラスで形成されてもよい。電極５及び６は二群の電極を形成し、これらの電極は９０度の角度で互いに交差するのが好ましい。一群の選択電極又は行電極６及び一群のデータ電極又は列電極５である。電極５及び６と薄膜３との間に局部的に電位差を発生させることによって、動作中に電極５、６及び薄膜３上の電極７に電圧を印加することで、薄膜３を導光板２又は第二板４に対して引っ張る力が薄膜上に局部的に働く。
【００１６】
ディスプレイ装置１はさらに光源９と、反射板１０とを含む。導光板２は光入力部１１を有し、光源９によって生成された光は光入力部１１で導光板２に結合する。光源は、装置に応じて、白色光又は所望の色彩の光を放射することができる。２つ以上の光源が存在してもよく、例えば、装置の２つの側又は各々の側に光源が存在してもよい。白色光を形成するために連続的に駆動される異なる色彩の光源を使用することも可能である。
【００１７】
薄膜３は複数組のスペーサによって導光板２と第二板４との間に位置付けられている。薄膜３と電極とが直接接触しないように、電極５、６は各々絶縁層１２、１４によって被覆されているのが好ましい。電極５、６、７に電圧を印加することで電気的な力Fが生成され、それによって、薄膜３が導光板２上の電極５に対して引っ張られる。電極５は透明である。薄膜３と導光板２との間の接触によって、光は導光板２を出射し、接触地点で薄膜３に入射する。薄膜３は光を散乱し、散乱された光の一部が透明な電極５及び導光板２を介してディスプレイ装置１を出射し、散乱された光の別の部分は第二板４を通じてディスプレイ装置１を出射する。他方が反射的である一組の透明な電極を用いることも可能であり、これによって、一方向への光の出射が増幅される。共通電極７は導電性層を含む。そのような導電性層は、半透明アルミニウム層のような半透明金属層、インジウムスズ酸化物(ITO)のような透明な導電性コーティング又は金属トラックの網目であってもよい。
【００１８】
動作中、光は導光板２の内部を進行し、そして、内部反射の故に、図２に示された状況が起こらない限り、そこから逃れることはできない。図２は導光板２に横たわっている薄膜３を表わしている。この状態では、光の一部は薄膜３に入射する。この薄膜３が光を散乱することで、光がディスプレイ装置から出射する。光は両側あるいは片側から出射することができる。図２において、これは矢印によって示されている。実施例において、ディスプレイ装置は色彩決定素子を含む。これらの素子は、例えば、特定の色彩（赤、緑、青、その他）の光が通過することを許容する色彩フィルタリング素子であってもよい。色彩フィルタリング素子は入射光の所望の色彩のスペクトル帯域幅のための少なくとも２０％の透過性を有し、また、他の色彩のためには入射光の０〜２％の幅の透過性を有する。色彩フィルタリング素子は導光板２に対向する第二板４の表面に位置付けられているのが好ましい。
【００１９】
図３はディスプレイ装置１のための既知のアドレス法の一実施例を表わしている。この既知のアドレス方式は所謂複数列アドレス法である。この方法に関する詳細な記述は国際公開第WO00/38163号に見い出され、この国際出願は同一出願人による先願の出願である。このアドレス法は構造に作用する単一の力で薄膜のオンとオフとの切り替えを可能とする点で大変興味深い。図３は次の３つのアドレス状態を示す。
【００２０】
第一のアドレス状態  −「オン」２０
第二のアドレス状態  −「双安定性の故に何も起こらない」２１
第三のアドレス状態  −「オフ」２２
【００２１】
第一のグラフ１６は列電極５における電圧を示し、第二のグラフ１７は行電極６における電圧を示し、そして、第３のグラフ１８は共通電極７における電圧を示している。切替の間、単一の力のみが薄膜に作用しているのが分かる。第４のグラフ１９は対応する表示素子のオン／オフ状態を示している。
【００２２】
４８０線及び６００列から成るVGA表示の場合、行電極６は例えば１０群の４８個の行電極に接続されうる。アドレス周期中、行ドライバ４３は走査パルスを４８個の行電極６に供給し、また、データパルスDiを列電極５に供給することで、後続のディスプレイ周期において光を散乱するディスプレイ素子に対応する薄膜３のこれらの部分のみが導光板２と接触して動き回る。
【００２３】
従来の複線アドレス法においては、図４に示されるように、各群BLK1及びBLK2の空間的に隣接する行電極２３、２４が交互に連続的にアドレスされ、次いで、後続の群BLK1、BLK2が連続的に活性化される。
【００２４】
ディスプレイ装置の全体に亘ってより均一化された濃淡階調表示画像を提供するために、図５に示されている通り、行電極２５、２６は連続的にアドレスされる行電極２５、２６が導光板２の正面領域で均等に分散配置されるようにアドレスされる。図５は新規な複線アドレス法の一実施例を示しており、ディスプレイに亘って空間的に分散配置された列電極２５、２６を連続的にアドレスすることによって表示の均一性が改良される。ここでは、後続の群BLK10、BLK20の連続的にアドレスされる行電極２５、２６は第一群BLK10においてアドレス付けされる１つの単一の行電極２５が第二群BLK20においてアドレス付けされる２つの単一の行電極２６の間に位置付けられるように均一に分散配置されるのが好ましい。さらに、光はディスプレイ装置の複数の短辺側の１つを介して導光板２内で結合されると考えられ、よって、行電極の分散配置は導光板の光源からの光の流れの主方向でなされている。
【００２５】
代替的に、群BLK10においてアドレス付けされる一対の隣接する行電極２５が群BLK20においてアドレス付けされる二対の隣接する行電極２６の間に位置するような方式で行電極がアドレスされてもよい。
【００２６】
従来の複線アドレス法と新規な複線アドレス法の相違を示すシミュレーション結果が図６に示されるテスト画像と共に議論される。図６は100x60mm２の寸法の長方形部の左隅部にある10x10mm２の寸法の白色四角形部WTを含むテスト画像を示す一実施例であり、長方形部はさらに10x50mm２の寸法の黒色長方形部及び近接する90x60mm２の寸法の灰色長方形部GRSを含む。
【００２７】
図７はテスト画像を表示するダイナミックフォイルディスプレイ装置に対する輝度分布のシミュレーションを示す第一のグラフ３１を示している。ここには、群BLK1及びBLK2における行電極２３及び２４の従来の複線アドレス法がある。第一のグラフ３１はディスプレイ装置の幅に亘る第二の要因の相対的差を示している。さらに、濃淡値の変化が各群に存在し、そして、ディスプレイ装置の長手方向に沿って隣接する群の間の移行３３が輝度の段階的上昇として顕著である。これらの段階的上昇は新しい後続する群の後発するアドレス付けによって招来され、そこでは、その後発するアドレス付けの場合に関しては、光の分離の故に、導光板２に沿った吸収を原因とする一定の光の損失以外、光損失は未だ一切発生していない。
【００２８】
図８はテスト画像を表示するダイナミックフォイルディスプレイ装置における輝度分布のシミュレーションを示す第二のグラフ３７を示している。ここでは、群BLK10、BLK20における行電極２５、２６の新規な複線アドレス法が適用されている。本複線アドレス法においては、連続的にアドレスされる群BLK10、BLK20の行電極２５、２６はディスプレイ装置の全体で均一に分散配置されている。図８はディスプレイ装置の幅方向に沿った輝度の相対的差は約１０％に低減されていることを示している。また、ディスプレイ装置の長手方向に沿ったグラフ３７内の変化も図７のグラフ３１に比べ円滑である。図７及び図８のグラフ３１及びグラフ３８双方の始まりはディスプレイ装置の側部、よって、テスト画像２４における灰色長方形部ＧＲＳが開始する所から１０mmである。
【００２９】
ダイナミックフォイルディスプレイに亘ってアドレスされる行電極２５、２６の均一な分散配置を備えた新規の複線アドレス法は、色彩フラッシュ効果(color  flash  effect)の低減の故に、色彩連続ダイナミックフォイルディスプレイにおいても有効である。
【００３０】
図９は、タイミング回路４１と、行ドライバ及び列ドライバ４３，４５と、照明駆動回路４７とを含むサブ領域変調(sub-field  modulated)ダイナミックフォイルディスプレイ装置の一実施例を図式的に示す。タイミング回路４２はディスプレイ装置に表示されるべき情報を受信する。タイミング回路４２は表示情報の領域周期Tfを所定数の連続的なサブ領域Tsfに分割する。赤色、緑色及び青色のフィルタは白色光源と共にディスプレイ素子に関連付けられている。この光源は、例えば、赤色、緑色及び青色のLED４９、５１、５３であってもよく、LED４９、５１、５３の各々を同時に駆動するために配置された照明駆動回路によって、LED４９，５１，５３の赤色、緑色及び青色の光の混合によって生成された白色光を発する。薄膜３を導光板２へ切り替える反応時間をτsと想定すると、これは薄膜が導光板と正面板との間の距離を交差するのに要する時間の略半分である。この反応時間の実際的な値は３μsである。サブ領域周期は、アドレス周期と、ディスプレイ周期と、リセット周期とを含む。
【００３１】
４８０線と６００列から成るVGAディスプレイの場合、行電極６は、例えば、１０群の４８個の行電極に分割され得る。複線アドレス法がアドレス周期に適用される場合、行ドライバ４３は走査パルスを４８個の行電極６に供給し、また、データパルスDiを列電極５に供給することによって、後続のディスプレイ周期において光を散乱するディスプレイ素子に対応する薄膜３のこれらの部分のみが導光板２と接触して動き回る。改良された画像均質性を提供するために、連続的にアドレスされる１つの群の複数の行電極６は導光板内の光源からの光の流れの主方向と一致する方向で導光板２に亘って均等に分散配置されている。この行の分散配置はディスプレイ装置全体に亘るより均一な濃淡階調表示を提供する。このアドレス周期に必要な時間はNxτsである。ここで、Ｎは行電極６の数を表わす。連続的なディスプレイ周期において、行ドライバ及び列ドライバ４３、４５は保持信号を各々の行電極及び列電極６及び５に供給する。ディスプレイ周期中、照明駆動回路４７は駆動パルスをＬＥＤ４９、５１、５３に供給する。さらに、タイミング回路４１は、全ての領域周期Ｔｆにおいて、重み付け係数Ｗｆの確定順序をサブ領域周期Ｓｆに関連付ける。照明駆動回路４７はタイミング回路４２に結合されることで、重み付け係数Ｗｆと一致した周期を有する駆動パルスＬｄが供給され、よって、ディスプレイ素子によって生成される光の量は重み付け係数に対応する。後続のリセット周期においては、行ドライバ４３は選択された４８個の行電極に行リセットパルスを供給し、次いで、データドライバ４５は列リセットパルスを列電極５に供給することで、導光板と接触している薄膜３の選択的部分を導光板２から開放する。
【００３２】
さらに、データＤｉが重み付け係数Ｗｆと一致するよう、サブ領域データ生成器５５は表示情報Ｐｉ上で操作を行う。このようにして、画像データＤｉと一致するディスプレイ素子のみがディスプレイ周期において光を散乱する。
【００３３】
ディスプレイ装置においては次の３つの異なる状態が区別される。
【００３４】
準備段階。この段階においては、データＤｉに基づいて、薄膜は導光板と接触又は開放される。従って、ディスプレイ素子は「一度に１つの線」基準でアドレス付けされ、列電極の電圧レベルが薄膜の位置を決定する。
【００３５】
ディスプレイ段階。この段階においては、駆動信号がＬＥＤに供給され、個々の輝度ビットの重量が表示段階における光パルスの存在を決定する。
【００３６】
供給される画像情報における最小位及び最大位ビットの重量に基づいて後続の領域周期における光パルスLpi,nが生成されることが起こりうる。そして、
リセット段階。この段階においては、導光板２と接触しているディスプレイ素子の薄膜の全部位は導光板２から離間する。この工程は１０群の行電極６の全てのために繰り返される。
【００３７】
図１０はサブ領域変調ダイナミックフォイルディスプレイ装置における一群の４８個の行電極のための制御工程を表わしている。この制御工程は、アドレス周期S1,..S8と、ディスプレイ周期57,..64とを含む。４８０の線及び２５６色彩濃淡値の場合、総アドレス付け時間は10x8x(48+1)xτsである。τsが３μsと等しい場合、総アドレス時間は11.76msであり、8.24msが光を生成するために残存する。よって、単一の群の場合、総アドレス時間は1.176msであり、0.824msが光を生成するために残存する。
【００３８】
２５６色彩濃淡値システム及び１０群の行電極の場合、ディスプレイ周期において、最小位ビットに関連付けられてLEDが光を発する周期の期間は約３μsであり、そして、最大位ビットに関連付けられてLEDが光を発する周期の期間は約0.4msである。ＬＥＤのためには0.1μs以下の切替時間が求められる。適用されたＬＥＤ４９，５１，５３は高いピーク負荷に耐えることができなければならない。ＬＥＤ４９，５１，５３の代わりに固体レーザが適用されうる。
【００３９】
この形態のアドレス付けはＶＧＡ又はＳＶＧＡ画像、あるいは、ＮＴＳＣ又はＰＡＬテレビ画像を表示するのに有用である。
【００４０】
他の実施例において、色彩連続表示方法(color  sequential  display  method)はサブ領域変調ダイナミックフォイルディスプレイ装置に適用される。
【００４１】
図式的には、この色彩連続変調ダイナミックフォイルディスプレイ装置は、図９に関連して記述されたダイナミックフォイルディスプレイ装置と同様な回路４０，４２，４３，４５，４７を含むが、タイミング回路４２が表示情報の領域周期Ｔｆを表示されるべき画像の赤色、緑色及び青色の情報に各々関連付けられた所定数の連続するサブ領域Ｔｓｆに分割するよう配置されているのは例外である。照明駆動回路４７は、赤色、緑色及び青色の画像情報に各々対応するサブ領域に関連付けられた表示周期の色にＬＥＤを駆動するよう配置されている。このディスプレイ装置において、薄膜３の一部分を導光板２に移動するための所要反応時間は１μsであるべきである。これは薄膜が導光板２と正面板４との間の距離を交差するのに要する時間の略半分である。サブ領域周期は、アドレス付け周期と、表示周期と、リセット周期とを含む。
【００４２】
ＶＧＡ表示の場合、行電極は再び例えば再度１０群の４８本の線に分割しうる。アドレス周期において、行ドライバ４３はスキャンパルスを４８個の行電極６に供給し、また、列ドライバ４５はデータパルスＤｉを列電極５に供給することで、後続するディスプレイ周期において光を散乱する表示素子に対応する薄膜３のこれらの部分のみが導光板２と接触して動き回る。好ましくは、各群の行電極６は導光板２に亘って均等に分散配置されている。このアドレス周期に要する時間は10x3x8(48+1)xτsである。連続するディスプレイ周期においては、行ドライバ及び列ドライバ４３，４５は保持信号を各々の行電極及び列電極６，５に供給する。ディスプレイ周期中、照明駆動回路４７は駆動パルスを処理されたサブ領域の色彩に従って赤色、緑色又は青色ＬＥＤ４９，５１，５３に供給する。さらに、タイミング回路４２は、全ての領域周期Ｔｆにおいて、重み付け係数Ｗｆの確定順序をサブ領域周期Ｓｆに関連付ける。重み付け係数Ｗｆと一致する周期を有する駆動パルスＬｄを供給するために、照明駆動回路４７はタイミング回路４２に接続され、よって、ディスプレイ素子によって生成された光の量は重み付け係数に対応する。後続のリセット周期において、行ドライバ４３は行リセットパルスを選択された４８個の行電極に供給し、また、データドライバ４６は行リセットパルスを第二電極又は列電極に供給することで、薄膜３の一部を導光板２から離間する。このアドレス付けは単一のアドレス周期のみを必要とする。この工程は赤色、緑色及び青色の各々の情報のための全てのサブ領域及び全グループで繰り返される。サブ領域データ生成器５５は表示情報Ｐｉ上で操作を行い、よって、データＤｉは赤色、緑色及び青色に関連付けられ、且つ、重み付け係数Ｗｆと一致したサブ領域に分割される。このようにして、画像データＤｉと一致するディスプレイ素子のみが赤色、緑色、又は、青色の光をディスプレイ周期に散乱する。
【００４３】
図１１は色彩連続サブ領域変調ダイナミックフォイルディスプレイ装置の一群の４８個の行電極のための制御手順を表わしている。制御手順５６は、アドレス周期Ｓｒ１，．．．Ｓｒ８，Ｓｇ１，．．，Ｓｇ８，Ｓｂ１，．．Ｓｂ８と、ディスプレイ周期６６，．．，７３とを含む。４８０線及び２５６色彩濃淡値システムの場合、連続色彩ディスプレイ装置における総アドレス時間は10x3x8(48+1)xτsである。τsが１μsと等しい場合、総アドレス時間は11.7msであり、8.3msが光を生成するために残存する。群毎に、光を生成するためのこの最後の周期は0.83msである。その結果、３つの色彩の内の１つの色彩に光を生成する周期は0.277msである。２５６色彩濃淡地システムの場合、最小位ビットとの関連でＬＥＤの１つが光を放射する周期の区間はディスプレイ周期において約1.1μsであり、最大位ビットとの関連でＬＥＤの１つが光を放射する周期の区間は約１３８μsである。ＬＥＤ又は固体レーザの場合、切替時間は0.1μs以下である。光源は高いピーク負荷に耐えうるべきものであることは明らかである。効率性の損失を回避するために、ＬＥＤの積分強度Ｉｓは連続的光源の強度Ｉｂと同程度であるべきことが留意されるべきである。実際上、これはＬＥＤの強度Ｉｌｓが以下の通りであることを意味する。
【００４４】
Ils0.824=Ib20ms⇒Ils=24.27Ib.
アドレス付けのこのモードはＶＧＡ又はＳＶＧＡ画像、あるいは、ＮＴＳＣ又はＰＡＬテレビ画像を表示する上で有用である。
【００４５】
さらに、追加的な第二の要因で輝度を増大させるために、反射板を薄膜とは反対側の導光板の側部に設けることができる。
【００４６】
図１２は、第二板４とは反対側の導光板２の背後に設けられた反射板７６を含むダイナミックフォイルディスプレイ装置７４を示している。薄膜３の一部は光の第一部分７８を視聴者の方向に散乱し、また、第二部分８０を反射板７６方向に逆向きに散乱する。反射板７６は第二部分８０を視聴者の方向に反射する。
【００４７】
添付の請求項の範囲から逸脱しない範囲において、多くの変形が本発明の範囲内で可能であることは明らかである。
【図面の簡単な説明】
【００４８】
【図１】図薄膜を有するディスプレイ装置の断面図である。
【図２】図１に示されたディスプレイ装置の詳細図である。
【図３】図１に示されたディスプレイ装置のためのアドレス法を示している。
【図４】従来の複線アドレス方式において２つのグループにアドレスされた選択電極の分散配置を示している。
【図５】改良された複線アドレス方式において２つのグループにアドレスされた選択電極の改良された配分を表わしている。
【図６】テスト画像の例を表わしている。
【図７】既知の複線アドレス法における輝度配分のグラフを示している。
【図８】新規な複線アドレス法における輝度配分のグラフを示している。
【図９】サブ領域変調ダイナミックフォイルディスプレイを示している。
【図１０】サブ領域変調ダイナミックフォイルディスプレイのアドレス順序を示している。
【図１１】色彩連続サブ領域変調ダイナミックフォイルディスプレイを示している。
【図１２】光源の背後に反射鏡を備えるダイナミックフォイルディスプレイを示している。
【図１】
2005535931.tif 000003
【図２】
2005535931.tif 000004
【図３】
2005535931.tif 000005
【図４】
2005535931.tif 000006
【図５】
2005535931.tif 000007
【図６】
2005535931.tif 000008
【図７】
2005535931.tif 000009
【図８】
2005535931.tif 000010
【図９】
2005535931.tif 000011
【図１２】
2005535931.tif 000012
【図１０】
2005535931.tif 000013
【図１１】
2005535931.tif 000014
【国際調査報告】
2005535931.tif 000015
2005535931.tif 000016
2005535931.tif 000017